(57)【要約】      （修正有）【課題】樹脂製のインペラと、インペラに固定された金属製のロータホルダと、を有するファンにおいて、圧入時または圧入後における羽根部の変形または羽根支持部の割れを抑制する。【解決手段】ロータホルダ３３Ａは、電機子２２Ａの上側に位置する蓋部７１Ａと、蓋部７１Ａの径方向内側の端部から下側へ向けて延びる内側円筒部７３Ａと、を有する。インペラ３２Ａは、蓋部７１Ａの上側に位置する部分を含む羽根支持部６１Ａと、羽根支持部６１Ａの径方向外側に配置される羽根部６２Ａと、羽根支持部５１Ａの中央から軸方向下側へ向けて突出した凸部６３Ａと、を有する。そして、内側円筒部７３Ａの内周面に、凸部６３Ａが圧入されている。これにより、ロータホルダ３３Ａとインペラ３２Ａとが、互いに固定されている。このようにすれば、圧入部を径方向内側に配置することができる。【選択図】図１
2014206064.tif 000002
【特許請求の範囲】
【請求項１】
静止部と、
上下に延びる中心軸を中心として回転可能に支持される回転部と、
を有し、
前記静止部は、
駆動電流に応じて磁束を発生させる電機子と、
前記電機子の径方向内側に配置された軸受機構と、
を有し、
前記回転部は、
前記軸受機構に支持されるシャフトと、
前記シャフトに固定された樹脂製のインペラと、
前記インペラに固定された金属製のロータホルダと、
前記電機子の径方向外側に位置し、前記ロータホルダに固定されたマグネットと、
を有し、
前記ロータホルダは、
前記電機子の上側に位置する蓋部と、
前記蓋部の径方向外側の端部から下側へ向けて延びる外側円筒部と、
前記蓋部の径方向内側の端部から下側へ向けて延びる内側円筒部と、
を有し、
前記インペラは、
前記蓋部の上側に位置する部分を含む羽根支持部と、
前記羽根支持部の径方向外側に配置される羽根部と、
前記羽根支持部の中央から下側へ向けて突出した凸部と、
を有し、
前記凸部が、前記内側円筒部の内周面に、圧入されているファン。
【請求項２】
請求項１に記載のファンにおいて、
前記羽根部の下端が、前記羽根支持部の下端より下方に位置し、
前記羽根部と前記外側円筒部とが、隙間を介して直接対向しているファン。
【請求項３】
請求項１または請求項２に記載のファンにおいて、
前記電機子は、
径方向に延びる複数のティースをもつステータコアと、
前記ティースの上面、下面、および周方向の両端面を覆う絶縁部と、
前記絶縁部に巻かれた導線からなるコイルと、
を有し、
前記内側円筒部の内周面は、前記コイルの径方向内側の端部より、径方向内側に位置するファン。
【請求項４】
請求項１から請求項３までのいずれかに記載のファンにおいて、
前記凸部は、前記内側円筒部の内周面に接触する部分を含む外端面を有し、
前記外端面の下端部は、前記内側円筒部の下端部より下側に位置するファン。
【請求項５】
請求項１から請求項４までのいずれかに記載のファンにおいて、
前記凸部は、
前記内側円筒部の内周面に圧入される上凸部と、
前記上凸部より下側に位置し、前記シャフトが固定される下凸部と、
を有し、
前記下凸部の最外径は前記上凸部の最外径より小さいファン。
【請求項６】
請求項５に記載のファンにおいて、
前記インペラは、
前記羽根支持部の上面の中央から軸方向下側へ向けて窪む凹部
をさらに有するファン。
【請求項７】
請求項１から請求項６までのいずれかに記載のファンにおいて、
前記電機子は、
前記絶縁部と、
前記コイルの径方向内側において、前記絶縁部から上方へ延びる壁部と、
を含む樹脂製のインシュレータを有し、
前記凸部は、前記壁部の上端部より下側において、径方向外側へ突出した鍔部を有し、
前記壁部は、前記鍔部の上側において径方向内側へ突出した爪部を有し、
前記鍔部と前記爪部とが、軸方向に重なっているファン。
【請求項８】
請求項１から請求項７までのいずれかに記載のファンにおいて、
前記羽根支持部の下面と、前記蓋部の上面とが、接触しているファン。
【請求項９】
請求項１から請求項８までのいずれかに記載のファンにおいて、
前記凸部は、
径方向外側へ向けて突出する複数のリブ
を有し、
前記リブが、前記内側円筒部の内周面に、圧入されているファン。
【請求項１０】
請求項９に記載のファンにおいて、
前記リブは、前記羽根支持部の下面から下側へ延び、
前記リブの下端部は、前記内側円筒部の下端部より下側に位置するファン。
【請求項１１】
請求項１から請求項１０までのいずれかに記載のファンにおいて、
前記内側円筒部は、
下側から切り欠かれている切り欠き部
を有するファン。
【請求項１２】
請求項１から請求項１１までのいずれかに記載のファンにおいて、
前記ロータホルダは、
前記蓋部の上面と前記内側円筒部の内周面とを繋ぎ、径方向内側へ向かうにつれて高さが下がる案内面
をさらに有するファン。
【請求項１３】
請求項１から請求項１２までのいずれかに記載のファンにおいて、
前記蓋部は、
前記電機子の径方向外側の端部より径方向内側の位置から、径方向外側へ向かうにつれて高さが下がる傾斜部
を有するファン。
【請求項１４】
請求項１から請求項１３までのいずれかに記載のファンにおいて、
前記羽根支持部は、
前記凸部から径方向外側へ向けて広がる平板部と、
前記平板部の外周部から下側へ向けて延びる環状脚部と、
を有し、
前記羽根部は、前記環状脚部から径方向外側へ向けて広がっているファン。
【請求項１５】
請求項１４に記載のファンにおいて、
前記環状脚部の径は、下方へ向かうにつれて拡大するファン。
【請求項１６】
請求項１から請求項１５までのいずれかに記載のファンにおいて、
前記インペラの径方向外側を取り囲む筒状のハウジング
をさらに有し、
前記ハウジングの径方向内側に、軸方向に連通する風洞が設けられている軸流式のファン。
【発明の詳細な説明】
【技術分野】
【０００１】
本発明は、ファンに関する。
【背景技術】
【０００２】
従来、モータの駆動力を利用してインペラを回転させ、軸方向に気流を発生させる軸流式のファンが知られている。軸流式のファンは、例えば、家電製品、ＯＡ機器、輸送機器等に搭載され、電子部品の放熱や、内部気体の循環等の目的で使用される。従来のファンの構造については、例えば、実公平０１−００５１０４号公報に記載されている。
【特許文献１】実公平０１−００５１０４号公報
【発明の概要】
【発明が解決しようとする課題】
【０００３】
実公平０１−００５１０４号公報のファンは、ハブと一体になって回転する翼支持体と、翼支持体に支持された複数の回転翼と、磁極を備えてハブに固定されたヨークとを有している。そして、ヨークの外周に設けられた段付凹部に、翼支持体の突起部が嵌め込まれて、両者が一体固定されている（実用新案登録請求の範囲（１），第２頁右欄第１９〜２１行）。
【０００４】
しかしながら、実公平０１−００５１０４号公報の構造では、翼支持体の突起部と回転翼とが、隣接している。このため、例えば、段付凹部と翼支持体とを圧入で固定したとすると、圧入により生じる応力で、回転翼が径方向外側へ変形し、回転翼がフレームに接触する虞がある。また、圧入により生じる応力で、翼支持体に割れが生じる虞もある。
【０００５】
本発明の目的は、ロータホルダにインペラを圧入し、かつ、圧入時または圧入後における羽根部の変形または羽根支持部の割れを抑制できるファンを提供することである。
【課題を解決するための手段】
【０００６】
本願の例示的な第１発明は、静止部と、上下に延びる中心軸を中心として回転可能に支持される回転部と、を有し、前記静止部は、駆動電流に応じて磁束を発生させる電機子と、前記電機子の径方向内側に配置された軸受機構と、を有し、前記回転部は、前記軸受機構に支持されるシャフトと、前記シャフトに固定された樹脂製のインペラと、前記インペラに固定された金属製のロータホルダと、前記電機子の径方向外側に位置し、前記ロータホルダに固定されたマグネットと、を有し、前記ロータホルダは、前記電機子の上側に位置する蓋部と、前記蓋部の径方向外側の端部から下側へ向けて延びる外側円筒部と、前記蓋部の径方向内側の端部から下側へ向けて延びる内側円筒部と、を有し、前記インペラは、前記蓋部の上側に位置する部分を含む羽根支持部と、前記羽根支持部の径方向外側に配置される羽根部と、前記羽根支持部の中央から下側へ向けて突出した凸部と、を有し、前記凸部が、前記内側円筒部の内周面に、圧入されているファンである。
【発明の効果】
【０００７】
本願の例示的な第１発明によれば、羽根支持部の中央から突出する凸部を、ロータホルダに圧入する。これにより、圧入時または圧入後における羽根部の変形または羽根支持部の割れを抑制できる。
【図面の簡単な説明】
【０００８】
【図１】図１は、第１実施形態に係るファンの縦断面図である。
【図２】図２は、第２実施形態に係るファンの縦断面図である。
【図３】図３は、第２実施形態に係るファンの部分縦断面図である。
【図４】図４は、第２実施形態に係るインペラの下面図である。
【図５】図５は、第２実施形態に係るインペラおよびロータホルダの圧入時の様子を示す図である。
【図６】図６は、変形例に係るロータホルダの縦断面図である。
【図７】図７は、変形例に係るロータホルダの下面図である。
【発明を実施するための形態】
【０００９】
以下、本発明の例示的な実施形態について、図面を参照しながら説明する。なお、本願では、ファンの中心軸と平行な方向を「軸方向」、ファンの中心軸に直交する方向を「径方向」、ファンの中心軸を中心とする円弧に沿う方向を「周方向」、とそれぞれ称する。また、本願では、軸方向を上下方向とし、電機子に対してロータホルダの蓋部側を上として、各部の形状や位置関係を説明する。ただし、この上下方向の定義により、本発明に係るファンの製造時または使用時の向きを限定する意図はない。
【００１０】
＜１．第１実施形態＞
図１は、本発明の第１実施形態に係るファン１Ａの縦断面図である。図１に示すように、ファン１Ａは、静止部２Ａと回転部３Ａとを有する。回転部３Ａは、中心軸９Ａを中心として回転可能に支持されている。
【００１１】
静止部２Ａは、電機子２２Ａおよび軸受機構２４Ａを有する。駆動電流が供給されると、当該駆動電流に応じて、電機子２２Ａに磁束が発生する。軸受機構２４Ａは、電機子２２Ａの径方向内側に配置されている。
【００１２】
回転部３Ａは、シャフト３１Ａ、インペラ３２Ａ、ロータホルダ３３Ａ、およびマグネット３４Ａを有する。シャフト３１Ａは、軸受機構２４Ａに支持されている。インペラ３２Ａは、樹脂製の部材であり、シャフト３１Ａに固定されている。ロータホルダ３３Ａは、金属製の部材であり、インペラ３２Ａに固定されている。マグネット３４Ａは、電機子２２Ａの径方向外側に位置する。
【００１３】
ロータホルダ３３Ａは、蓋部７１Ａ、外側円筒部７２Ａ、および内側円筒部７３Ａを有する。蓋部７１Ａは、電機子２２Ａの上側に位置する。外側円筒部７２Ａは、蓋部７１Ａの径方向外側の端部から、下側へ向けて延びている。内側円筒部７３Ａは、蓋部７１Ａの径方向内側の端部から、下側へ向けて延びている。マグネット３４Ａは、外側円筒部７２Ａの内周面に、固定されている。
【００１４】
インペラ３２Ａは、羽根支持部６１Ａ、羽根部６２Ａ、および凸部６３Ａを有する。羽根支持部６１Ａの少なくとも一部分は、蓋部７１Ａの上側に位置する。羽根部６２Ａは、羽根支持部６１Ａの径方向外側に配置される。凸部６３Ａは、羽根支持部６１Ａの中央から下側へ向けて突出している。
【００１５】
図１に示すように、このファン１Ａでは、内側円筒部７３Ａの内周面に、凸部６３Ａが圧入されている。これにより、ロータホルダ３３Ａとインペラ３２Ａとが、互いに固定されている。このようにすれば、ロータホルダ３３Ａの外側円筒部７２Ａを利用して圧入を行う場合より、圧入部を径方向内側に配置することができる。このため、圧入により生じる応力が、羽根部６２Ａや羽根支持部６１Ａに影響を及ぼしにくい。したがって、圧入時または圧入後における羽根部６２Ａの変形または羽根支持部６１Ａの割れを抑制できる。
【００１６】
＜２．第２実施形態＞
＜２−１．ファンの全体構成＞
図２は、本発明の第２実施形態に係るファン１の縦断面図である。本実施形態のファン１は、例えば、家庭用の通信機器に搭載され、通信機機内の電子部品を冷却する目的で、使用される。ただし、本発明のファンは、通信機器以外の装置に搭載されるものであってもよい。例えば、本発明のファンは、パソコン、ＯＡ機器、家電製品、医療機器、または輸送機器に搭載されるものであってもよい。また、本発明のファンは、冷却以外の目的で用いられるものであってもよい。
【００１７】
本実施形態のファン１は、軸方向に気流を発生させる軸流式のファンである。図２に示すように、ファン１は、静止部２と回転部３とを有する。静止部２は、通信機器の枠体に固定される。回転部３は、静止部２に対して、中心軸９を中心として回転可能に支持される。
【００１８】
本実施形態の静止部２は、ハウジング２１、電機子２２、回路基板２３、および軸受機構２４を有する。
【００１９】
ハウジング２１は、筒状の外筒部４１と、外筒部４１の径方向内側に設けられたベース部４２とを有する。外筒部４１は、後述するインペラ３２の径方向外側を取り囲んでいる。また、外筒部４１の径方向内側には、軸方向に連通する風洞４が設けられている。電機子２２、回路基板２３、軸受機構２４、および回転部３は、外筒部４１の内部に収容されている。
【００２０】
ベース部４２は、外筒部４１の径方向内側において、電機子２２および軸受機構２４を支持している。ベース部４２は、底板部４２１と内筒部４２２とを有する。底板部４２１は、風洞４の最下部において、中心軸９に対して略垂直に広がっている。底板部４２１と外筒部４１の下端部とは、複数の連結部４３で繋がっている。連結部４３は、単なるリブであってもよいし、整流機能をもつ静翼であってもよい。内筒部４２２は、中心軸９の周囲において、底板部４２１から上方へ向けて、略円筒状に延びている。
【００２１】
ハウジング２１の材料には、例えば樹脂が使用される。本実施形態では、外筒部４１とベース部４２とが、単一の部材であるハウジング２１のそれぞれ一部分となっている。しかしながら、外筒部４１とベース部とは、それぞれ別の部材であってもよい。
【００２２】
電機子２２は、ステータコア５１、インシュレータ５２、およびコイル５３を有する。ステータコア５１は、例えば、電磁鋼板を軸方向に積層させた積層鋼板からなる。ステータコア５１は、環状のコアバック５１１と、コアバック５１１から径方向外側へ向けて延びる複数のティース５１２とを有する。コアバック５１１は、内筒部４２２の外周面に固定されている。複数のティース５１２は、周方向に略等間隔に配列されている。
【００２３】
インシュレータ５２は、絶縁材料である樹脂からなる。インシュレータ５２は、絶縁部５２１と壁部５２２とを有する。絶縁部５２１は、ティース５１２の上面、下面、および周方向の両端面を覆っている。コイル５３は、絶縁部５２１に巻かれた導線からなる。絶縁部５２１は、ティース５１２とコイル５３との間に介在することによって、ティース５１２とコイル５３とが電気的に導通することを防止する。壁部５２２は、コイル５３より径方向内側において、絶縁部５２１から上方へ延びている。
【００２４】
回路基板２３は、電機子２２の下側かつ底板部４２１の上側に位置し、中心軸９に対して略垂直に広がっている。回路基板２３は、例えば、中央に設けられた円孔の縁を、インシュレータ５２に設けられた爪部に係止させることにより、固定されている。回路基板２３の上面および下面には、コイル５３に対して駆動電流を供給するための電子回路が搭載されている。コイル５３を構成する導線の端部は、回路基板２３上のランド部に半田付けされる。なお、コイル５３を構成する導線は、導通ピンを介して回路基板２３のランド部に接続されていてもよい。
【００２５】
軸受機構２４は、電機子２２の径方向内側において、後述するシャフト３１を支持する機構である。軸受機構２４は、内筒部４２２の径方向内側に収容されている。本実施形態の軸受機構２４は、滑り軸受であり、略円筒状のスリーブ２４１を含む複数の部材からなる。しかしながら、滑り軸受に代えて、流体軸受やボールベアリングが使用されていてもよい。
【００２６】
本実施形態の回転部３は、シャフト３１、インペラ３２、ロータホルダ３３、およびマグネット３４を有する。
【００２７】
シャフト３１は、軸方向に延びる円柱状の部材である。シャフト３１の材料には、例えば、ステンレス等の金属が使用される。シャフト３１の下部は、スリーブ２４１の内側に挿入されている。これにより、軸受機構２４に対してシャフト３１が、回転可能に支持されている。また、シャフト３１は、スリーブ２４１の上面より上方へ突出した頭部３１１を有する。
【００２８】
インペラ３２は、シャフト３１とともに回転する樹脂製の部材である。インペラ３２は、羽根支持部６１、複数の羽根部６２、および凸部６３を有する。羽根支持部６１は、後述するロータホルダ３３の蓋部７１の上面に沿って、広がっている。本実施形態の羽根支持部６１は、平板部６１１および環状脚部６１２を有する。平板部６１１は、蓋部７１の上面に位置し、凸部６３から径方向外側へ向けて広がっている。環状脚部６１２は、平板部６１１の外周部から下側へ向けて延びている。
【００２９】
複数の羽根部６２は、羽根支持部６１およびロータホルダ３３の径方向外側において、周方向に配列されている。各羽根部６２は、環状脚部６１２の外周面から、それぞれ径方向外側および下側へ向けて広がっている。羽根部６２の下端は、羽根支持部６１の下端より下側に位置する。
【００３０】
凸部６３は、羽根支持部６１の中央から下側へ向けて突出している。インペラ３２の成型時には、樹脂成型用の金型の内部に、予めシャフト３１が配置される。そして、金型の内部に溶融樹脂を流し込んで固化させることにより、インペラ３２が成型される。その際、樹脂の固化と同時に、シャフト３１の頭部３１１が凸部６３に固定される。すなわち、本実施形態のインペラ３２は、シャフト３１をインサート部品とするインサート成型品である。凸部６３のより詳細な形状については、後述する。
【００３１】
ロータホルダ３３は、インペラ３２に固定された金属製の部材である。ロータホルダ３３は、例えば、磁性体である亜鉛めっき鋼板を、プレス加工することにより得られる。ロータホルダ３３は、蓋部７１、外側円筒部７２、および内側円筒部７３を有する。蓋部７１は、電機子２２の上側において、環状に広がっている。外側円筒部７２は、蓋部７１の径方向外側の端部から、下側へ向けて略円筒状に延びている。内側円筒部７３は、蓋部７１の径方向内側の端部から、下側へ向けて略円筒状に延びている。
【００３２】
本実施形態の蓋部７１は、平蓋部７１１と、傾斜部７１２とを含んでいる。平蓋部７１１は、インペラ３２の平板部６１１の下面に沿って、略円板状に広がっている。平板部６１１の下面と、平蓋部７１１の上面とは、互いに接触している。これにより、インペラ３２に対してロータホルダ３３が、軸方向に位置決めされている。また、平板部６１１と平蓋部７１１とを接触させることにより、ロータホルダ３３およびインペラ３２の全体としての剛性が高まる。その結果、インペラ３２の振動が抑制される。傾斜部７１２は、インペラ３２の環状脚部６１２の内周面に沿って、環状に広がっている。傾斜部７１２の高さは、径方向外側へ向かうにつれて低下する。また、傾斜部７１２の内端部は、ティース５１２の径方向外側の端部より径方向内側に位置している。
【００３３】
このファン１では、ロータホルダ３３の蓋部７１をこのような形状とすることにより、蓋部７１の下側に電機子２２を配置するスペースを確保しながら、蓋部７１の外周部付近の高さを抑えている。また、環状脚部６１２および傾斜部７１２の径は、下方へ向かうにつれて拡大している。これにより、環状脚部６１２の上端部付近の径方向外側に、気体の流れる空間が、より広く確保される。その結果、ファン１の上方空間から風洞４への吸気効率が高まる。
【００３４】
マグネット３４は、電機子２２の径方向外側に位置する。マグネット３４は、外側円筒部７２の内周面に、例えば接着剤で固定されている。本実施形態のマグネット３４は、円環状に配置されている。マグネット３４の内周面は、複数のティース５１２の径方向外側の端面と、径方向に対向する。また、マグネット３４の内周面には、Ｎ極とＳ極とが、周方向に交互に着磁されている。ロータホルダ３３の外側円筒部７２は、マグネット３４のバックヨークとして機能する。
【００３５】
なお、円環状のマグネット３４に代えて、複数のマグネットが使用されていてもよい。複数のマグネットを使用する場合には、Ｎ極とＳ極とが交互に並ぶように、複数のマグネットを周方向に配列すればよい。
【００３６】
外部電源から回路基板２３を介してコイル５３に駆動電流を供給すると、ステータコア５１の複数のティース５１２に、駆動電流に応じた磁束が発生する。そして、ティース５１２とマグネット３４との間の磁束の作用によって、周方向のトルクが生じる。その結果、中心軸９を中心として回転部３が回転する。また、インペラ３２が回転すると、風洞４内の空気が羽根部６２により下向きに加速される。それにより、風洞４内に、上から下へ向かう気流５が発生する。
【００３７】
＜２−２．インペラおよびロータホルダの固定構造について＞
続いて、上述したインペラ３２およびロータホルダ３３の固定構造について、さらに説明する。
【００３８】
図３は、凸部６３の近傍におけるファン１の部分縦断面図である。図４は、インペラ３２の下面図である。図２におけるインペラ３２の断面は、図４中のＡ−Ａ断面に相当する。図３および図４に示すように、本実施形態の凸部６３は、上凸部６３１と、上凸部６３１より下側に位置する下凸部６３２とを有する。上凸部６３１は、羽根支持部６１の中央から、軸方向下側へ突出している。下凸部６３２は、上凸部６３１からさらに軸方向下側へ突出している。下凸部６３２の最外径は、上凸部６３１の最外径より小さい。
【００３９】
上凸部６３１は、径方向外側へ向けて突出する複数のリブ８１を有する。複数のリブ８１は、周方向に略等間隔に配列されている。ファン１の製造時には、図５のように、内側円筒部７３の内周面に、リブ８１が圧入される。これにより、ロータホルダ３３とインペラ３２とが、互いに固定される。このように、このファン１では、羽根支持部６１の中央から突出する凸部６３が、内側円筒部７３に圧入されている。このため、凸部６３は、内側円筒部７３に対して、径方向、軸方向、および回転方向において変形しにくい。また、カップ状のインペラの内側にロータホルダを圧入する場合と比較して、圧入部が径方向内側に配置される。当該構造では、圧入により生じる応力が、羽根部６２や羽根支持部６１に影響を及ぼしにくい。したがって、圧入時または圧入後における羽根部６２の変形または羽根支持部６１の割れを抑制できる。
【００４０】
また、図２および図３に示すように、内側円筒部７３の内径は、シャフト３１の外径より大きい。ロータホルダ３３に凸部６３を圧入するときには、まず、内側円筒部７３の内側にシャフト３１を挿入した後、内側円筒部７３に対して上凸部６３１を圧入する。このため、圧入時にシャフト３１を傷つけることがない。
【００４１】
また、本実施形態では、外側円筒部７２の外周面が、羽根支持部６１から露出している。この場合、外側円筒部７２の外周面と羽根部６２とが、他の部材を間に挟むことなく、隙間を介して直接径方向に対向する。これにより、ロータホルダ３３の径方向外側に、気体の流れる空間が、より広く確保される。仮に、外側円筒部を利用して羽根支持部にロータホルダを圧入し、かつ、外側円筒部の外周面の一部分を羽根支持部から露出させようとすると、当該羽根支持部の一部分に切り欠きを設ける必要がある。そうすると、圧入の強度が低下する。また、圧入時または圧入後における羽根部の変形または羽根支持部の割れの虞が増す。これに対し、本実施形態のファン１では、外側円筒部７２を圧入に利用していないので、このような問題が生じない。
【００４２】
特に、本実施形態では、上凸部６３１に設けられた複数のリブ８１が、内側円筒部７３に圧入されている。このようにすれば、上凸部６３１の外周面と内側円筒部７３の内周面とを全周に亘って接触させる場合より、圧入が容易となる。また、上凸部６３１に要求される成型精度を抑えながら、圧入を実現することができる。
【００４３】
本実施形態のリブ８１は、羽根支持部６１の下面から、内側円筒部７３の下端部より下側の位置まで、延びている。リブ８１の外端面の少なくとも一部分は、内側円筒部７３の内周面に接触する。特に、本実施形態では、リブ８１の外端面の下端部が、内側円筒部７３の下端部より下側に位置する。このため、リブ８１の外端面が、内側円筒部７３の内周面の下端部まで接触する。これにより、圧入面積が広く確保されている。また、内側円筒部７３の下端部が、上凸部６３１の下端部より上側に位置する。これにより、内側円筒部７３と電機子２２との接触が防止されている。
【００４４】
また、本実施形態では、内側円筒部７３の内周面が、コイル５３の径方向内側の端部より、径方向内側に位置する。このため、仮にコイル５３の巻数を増加させたとしても、コイル５３と凸部６３とが接触することはない。また、コイル５３より径方向内側の位置において圧入を行うことで、羽根部６２の変形または羽根支持部６１の割れを、より抑制できる。
【００４５】
また、本実施形態のインペラ３２は、羽根支持部６１の上面に、凹部６４を有する。凹部６４は、羽根支持部６１の上面の中央から、軸方向下側へ向けて窪んでいる。当該形状により、凸部６３の付近における樹脂の厚みのばらつきが、抑制される。そうすると、インペラ３２の成型時に、冷却固化に伴う凸部６３の変形を抑制できる。凸部６３の変形が抑制されれば、内側円筒部７３に対して凸部６３を、より安定的に圧入できる。
【００４６】
また、本実施形態では、インペラ３２を成型するときに、樹脂の流入口となるゲートが、凹部６４内に設けられる。これにより、当該ゲートの痕が、平板部６１１の上面より上方に突出することが、防止されている。
【００４７】
また、図３に示すように、本実施形態では、上凸部６３１に内側円筒部７３が固定され、下凸部６３２にシャフト３１が固定されている。すなわち、内側円筒部７３の固定位置と、シャフト３１の固定位置とが、軸方向にずれている。このようにすれば、圧入により凸部６３に生じる応力が、シャフト３１の周囲において集中することを、抑制できる。したがって、圧入時または圧入後における凸部６３の割れを、より抑制できる。
【００４８】
また、本実施形態の下凸部６３２は、径方向外側へ突出した鍔部８２を有する。鍔部８２は、インシュレータ５２の壁部５２２の上端部より下側に位置する。また、鍔部８２の最外径は、上凸部６３１の最外径より小さい。一方、壁部５２２は、径方向内側へ突出した爪部５２３を有する。爪部５２３は、鍔部８２より上側に位置する。また、鍔部８２の一部分と爪部５２３の一部分とは、軸方向に重なっている。仮に、シャフト３１が上方へ移動しようとすると、鍔部８２の上面と、爪部５２３の下面とが接触する。これにより、回転部３の上方への抜けが、防止される。
【００４９】
下凸部６３２の最外径は、上凸部６３１の最外径より小さい。このため、下凸部６３２の径方向外側かつ上凸部６３１の下側に、スペースが生じる。本実施形態では、当該スペースに、鍔部８２および爪部５２３が配置されている。これにより、ファン１の大型化を抑制しながら、抜け止め機構を設けることが、実現されている。なお、鍔部８２および爪部５２３は、平面視において円形であってもよく、楕円形であってもよい。また、鍔部８２および爪部５２３の一方が、環状に繋がっていなくてもよい。
【００５０】
また、本実施形態のロータホルダ３３は、蓋部７１の上面と内側円筒部７３の内周面との間に、案内面７４を有する。案内面７４は、径方向内側へ向かうにつれて高さが低下する環状の曲面である。蓋部７１の上面と内側円筒部７３の内周面とは、案内面７４によって、滑らかに繋がれている。図５のように、内側円筒部７３の内周面に、凸部６３を圧入するときには、案内面７４に沿ってリブ８１を移動させる。それにより、内側円筒部７３と凸部６３とを、略同軸に位置決めする。
【００５１】
＜３．変形例＞
以上、本発明の例示的な実施形態について説明したが、本発明は上記の実施形態に限定されるものではない。
【００５２】
図６は、一変形例に係るロータホルダ３３Ｂの縦断面図である。図７は、当該ロータホルダ３３Ｂの下面図である。図６および図７の例では、ロータホルダ３３Ｂの内側円筒部７３Ｂに、複数の切り欠き部７３１Ｂが設けられている。各切り欠き部７３１Ｂは、内側円筒部７３Ｂを、その下端部から上方へ向けて切り欠いている。また、複数の切り欠き部７３１Ｂは、周方向に略等間隔に、配列されている。このようにすれば、インペラの凸部の外周面と内側円筒部の内周面とを全周に亘って接触させる場合より、圧入が容易となる。また、内側円筒部７３Ｂに要求される加工精度を抑えながら、圧入を実現することができる。
【００５３】
ただし、インペラの凸部の外周面と、内側円筒部の内周面とを、全周に亘って接触させてもよい。
【００５４】
また、上記の実施形態では、インペラとロータホルダとが、圧入のみで固定されていたが、圧入と他の固定手段とを併用して、インペラとロータホルダとを固定してもよい。例えば、インペラとロータホルダとの間に、接着剤が介在していてもよい。また、インペラの凸部に、径方向外側へ向けて突出するフック部を設け、内側円筒部の内側に凸部を軽圧入するとともに、内側円筒部の下端部にフック部を係止させることで、インペラとロータホルダとが、互いに固定されていてもよい。
【００５５】
また、インペラの環状脚部を省略し、羽根支持部が平板部のみで構成されていてもよい。
【００５６】
また、本発明のファンは、上記の実施形態のように、上方から吸引した気体を下方へ向けて送り出す軸流式のファンであってもよく、上方から吸引した気体を径方向外側へ向けて送り出す遠心式のファンであってもよい。
【００５７】
また、ファンの細部の形状は、本願の各図に示された形状と相違していてもよい。また、上記の実施形態や変形例に登場した各要素を、矛盾が生じない範囲で、適宜に組み合わせてもよい。
【産業上の利用可能性】
【００５８】
本発明は、ファンに利用できる。
【符号の説明】
【００５９】
１，１Ａ  ファン
２，２Ａ  静止部
３，３Ａ  回転部
４  風洞
５  気流
９，９Ａ  中心軸
２１  ハウジング
２２，２２Ａ  電機子
２３  回路基板
２４，２４Ａ  軸受機構
３１，３１Ａ  シャフト
３２，３２Ａ  インペラ
３３，３３Ａ，３３Ｂ  ロータホルダ
３４，３４Ａ  マグネット
４１  外筒部
４２  ベース部
５１  ステータコア
５２  インシュレータ
５３  コイル
６１，６１Ａ  羽根支持部
６２，６２Ａ  羽根部
６３，６３Ａ  凸部
６４  凹部
７１，７１Ａ  蓋部
７２，７２Ａ  外側円筒部
７３，７３Ａ，７３Ｂ  内側円筒部
７４  案内面
８１  リブ
８２  鍔部
５１１  コアバック
５１２  ティース
５２１  絶縁部
５２２  壁部
５２３  爪部
６１１  平板部
６１２  環状脚部
６３１  上凸部
６３２  下凸部
７１１  平蓋部
７１２  傾斜部
【図１】
2014206064.tif 000003
【図２】
2014206064.tif 000004
【図３】
2014206064.tif 000005
【図４】
2014206064.tif 000006
【図５】
2014206064.tif 000007
【図６】
2014206064.tif 000008
【図７】
2014206064.tif 000009